(57)【特許請求の範囲】
【請求項１】
風呂追い焚き循環路と温水給湯路のそれぞれの熱交換パイプを１つのバーナで兼用して熱交換加熱する１缶２回路式の熱交換缶体を備えると共に、温水給湯路側の熱交換パイプの一部に沸騰防止用温度センサを設け、風呂追い焚き単独運転時には前記沸騰防止用温度センサが一定温度以上の高温を検出するとその間だけ燃焼を一時停止し、且つ温度が下がれば燃焼を再開するようにして温水給湯路側の熱交換パイプ内の沸騰を防止するようにすると共に、前記沸騰防止用温度センサが断線状態及び短絡状態の場合はこれを故障と判定するようにした１缶２回路式風呂釜装置であって、風呂追い焚き単独運転時に、該風呂追い焚き単独運転の開始初期において前記沸騰防止用温度センサが検出した検出温度を記憶し、この初期の検出温度とその後において前記沸騰防止用温度センサが検出した検出温度とを比較し、その間の温度変化が一定範囲以内にあつた場合にも、前記沸騰防止用温度センサを故障と判定するコントローラを設けたことを特徴とする１缶２回路式風呂釜装置。
【発明の詳細な説明】
【０００１】
【産業上の利用分野】
本発明は、浴槽水を追い焚き加熱する追い焚き循環路と、上水道からの水を加熱して給湯する温水給湯路との２つの回路を１つのバーナで兼用して熱交換加熱する１缶２回路式の熱交換缶体を備えた１缶２回路式風呂釜装置に関する。
【０００２】
【従来の技術】
従来、１缶２回路式風呂釜装置においては、風呂追い焚き単独運転時における温水給湯路側回路の沸騰を防止するため、熱交換缶体内を貫通する温水給湯側の熱交換パイプの前記熱交換缶体から突出したベント部に沸騰防止用温度センサを設け、該沸騰防止用温度センサが一定温度以上の高温を検出するとその間は燃焼を停止し、温度が下がれば燃焼を再開するようにしていた。そして前記沸騰防止用温度センサについては、該センサの断線状態、短絡状態をもって故障と判定するようにしていた。
【０００３】
【発明が解決しようとする課題】
ところが上記従来の１缶２回路式風呂釜装置においては、沸騰防止用温度センサの故障については、該センサが断線状態、及び短絡状態についてはこれを検知して故障と判断していたが、沸騰防止用温度センサが中途半端な温度を示したまま故障している場合、例えば前記沸騰防止用温度センサがサーミスタで構成されており、該サーミスタが中途半端な温度の抵抗値を示して故障している場合には、これを故障と検知することがなかったため、温水給湯路側が熱交換パイプ内で沸騰状態を続けるという不都合が生じる場合があった。沸騰状態が続いたりすると熱交換パイプやその周囲の部材における耐久性が悪くなる。
【０００４】
そこで本発明は、上記従来の１缶２回路式風呂釜装置の課題を解決し、風呂追い焚き単独運転時に、温水給湯路側の沸騰防止用温度センサが断線状態でも短絡状態でもなく、中途半端な温度を示したまま故障している場合についても、これを故障と判定することができる１缶２回路式風呂釜装置の提供を目的とする。
【０００５】
【課題を解決するための手段】
上記目的を達成するため、本発明の１缶２回路式風呂釜装置は、風呂追い焚き循環路と温水給湯路のそれぞれの熱交換パイプを１つのバーナで兼用して熱交換加熱する１缶２回路式の熱交換缶体を備えると共に、温水給湯路側の熱交換パイプの一部に沸騰防止用温度センサを設け、風呂追い焚き単独運転時には前記沸騰防止用温度センサが一定温度以上の高温を検出するとその間だけ燃焼を一時停止し、且つ温度が下がれば燃焼を再開するようにして温水給湯路側の熱交換パイプ内の沸騰を防止するようにすると共に、前記沸騰防止用温度センサが断線状態及び短絡状態の場合はこれを故障と判定するようにした１缶２回路式風呂釜装置であって、風呂追い焚き単独運転時に、該風呂追い焚き単独運転の開始初期において前記沸騰防止用温度センサが検出した検出温度を記憶し、この初期の検出温度とその後において前記沸騰防止用温度センサが検出した検出温度とを比較することで、その間の温度変化が一定範囲以内にあつた場合にも、前記沸騰防止用温度センサを故障と判定するコントローラを設けたことを特徴としている。
【０００６】
【作用】
上記本発明の特徴によれば、風呂追い焚き運転時には、温水給湯路側の沸騰防止用温度センサが検出する温度がコントローラによって監視され、沸騰防止用温度センサが一定温度以上の高温を検出すると、その間だけ燃焼が一時停止され、この燃焼停止により温度が下がれば再燃焼がなされる。このようにして温水給湯路側の沸騰が防止される。以上のように、風呂追い焚き単独運転時には、通常、燃焼と燃焼の停止（燃焼のオン、オフ）が繰り返されるので、沸騰防止用温度センサが検出する温度も上下変化を繰り返すことになる。風呂追い焚き単独運転中においては、その運転開始初期に温水給湯路側の沸騰防止用温度センサの検出する検出温度を記憶し、この運転初期における検出温度と、その後に沸騰防止用温度センサが検出した検出温度とを比較することで、その間の温度変化が一定範囲以内の僅かな場合には、沸騰防止用温度センサが故障であると判断することができる。コントローラは、風呂追い焚き単独運転時に開始初期における温水給湯路側の沸騰防止用温度センサが検出した温度と、その後に検出された温度との間に温度差がない場合、実際には多少の許容範囲を含めて一定範囲以内の変化しかない場合には、沸騰防止用温度センサが故障であると判定する。
【０００７】
【実施例】
以下に本発明を実施例に基づいて説明する。
図１は本発明に係る１缶２回路式風呂釜装置の実施例を示す簡略構成図で、図２は追い焚き単独運転時における温水給湯路側の温度変化を示す図である。
【０００８】
図１において、１缶２回路式の熱交換缶体10内に温水給湯路20の給湯用熱交換パイプ21と、風呂追い焚き循環路30の風呂追い焚き用熱交換パイプ31とが配置されている。各熱交換パイプ21、31には熱交換用のフィンが取り付けられている。前記熱交換缶体10には各熱交換パイプ21、31を加熱するための兼用の１つのバーナ11が設けられており、これにより１つのバーナ11で２つの回路、即ち温水給湯路20と風呂追い焚き循環路30の２系統の水をそれぞれ単独で或いは同時に加熱することできる１缶２回路式の熱交換缶体10が成立する。
浴槽40から熱交換缶体10へは往き管32が接続され、熱交換缶体10から浴槽40へは戻り管33が接続され、前記風呂追い焚き用熱交換パイプ31と往き管32と戻り管33とで風呂追い焚き循環路30が構成されている。風呂追い焚き循環路30の往き管32に循環ポンプ50が設けられている。
【０００９】
本実施例においては、温水給湯路20側の給湯用熱交換パイプ21の一部として、該給湯用熱交換パイプ21の熱交換缶体10から突出したベント部に沸騰防止用温度センサ60を設け、該沸騰防止用温度センサ60の検出する温度をコントローラ70で監視するようにしている。
【００１０】
コントローラ70による風呂追い焚き単独運転時の制御構成を次に説明する。
今、風呂追い焚き運転が単独運転状態となると、コントローラ70によって循環ポンプ50が駆動され、図示しない水流スイッチが追い焚き循環路30の水流を検出してオンすることで、バーナ11の燃焼が開始される。これによって浴槽40水が追い焚き循環路30を循環して風呂追い焚き用熱交換パイプ31において熱交換加熱される。
風呂追い焚き単独運転時においては、コントローラ70は、前記給湯用熱交換パイプ21の一部に設けた沸騰防止用温度センサ60から入力される温度情報を監視し、沸騰防止用温度センサ60が一定温度以上の高温を検出した場合には、バーナ11の燃焼を停止する。
前記一定温度とは、その温度以上になっても燃焼を停止しない場合には給湯用熱交換パイプ21内で沸騰が生じるであろう温度として予め実験で決定した温度であり、例えば本実施例では、図２において、80℃としている。
前記バーナ11の燃焼を停止することで、非運転中の温水給湯路20側の沸騰が防止される。
バーナ11の運転が一時停止されると、やがて沸騰防止用温度センサ60の検出する温度が低下してくるので、該検出温度が一定温度まで低下した時には、コントローラ70はバーナ11の再燃焼を指令する。これによって燃焼が開始され、風呂追い焚きが行われる。前記バーナ11の燃焼を再開する一定温度は、前記燃焼を停止する一定温度よりも多少低い温度として予め決定しておく。本実施例では前記80℃に対して燃焼再開温度を75℃としている。これら燃焼停止温度と燃焼再開温度は沸騰防止用温度センサ60の取り付け位置やその他の条件によって変わるので、予め実験によって適当な温度をそれぞれ決定しておくことになる。
以上のように風呂追い焚き単独運転時には、バーナ11の燃焼が温水給湯路20側の沸騰防止のためにオンオフされることになる。そして前記沸騰防止用温度センサ60が示す温度もノコギリ状に上下変動を繰り返すことになる。この状態を図２に示す。即ち、バーナ11の燃焼を停止すべき一定温度を80℃とし、バーナ11の燃焼を再開すべき一定温度を75℃とした場合には、バーナ11がオンオフ燃焼となり、その場合に図２の実線に示すような沸騰防止用温度センサ60の検出温度変化となり、また図２の一点鎖線に示すような給湯用熱交換パイプ21内の温度変化となる。
【００１１】
一方、コントローラ70は沸騰防止用温度センサ60が故障であるか否かを常時監視している。即ちコントローラ70は沸騰防止用温度センサ60が断線状態である場合及び短絡状態である場合は、沸騰防止用温度センサ60からの入力情報が断線状態、短絡状態にそれぞれ対応した非常に異常な値となるので、この場合には沸騰防止用温度センサ60の故障と判定する。この場合にはコントローラ70は燃焼を停止するようにすることができる。
他方、コントローラ70は、風呂追い焚き単独運転時に前記沸騰防止用温度センサ60の検出する温度が一定範囲以内の変化しかしない場合にも前記沸騰防止用温度センサ60を故障と判定する。即ち、コントローラ70は、風呂追い焚き単独運転が開始された初期に前記沸騰防止用温度センサ60の検出する温度を記憶し、その後に沸騰防止用温度センサ60から入力される検出温度に一定範囲未満の温度変化しか見られない場合には、沸騰防止用温度センサ60が故障していると判定する。この場合にも、コントローラ70は燃焼を停止するようにすることができる。
前記一定範囲未満の温度変化とは、温度変化が全く見られない場合、及び正常な場合に通常見られるノゴギリ状の温度変化の程度に対して著しく少ない幅での温度変化しか現さない場合である。この範囲は予め実験によって決定することができるが、例えば５℃程度未満の範囲とすることができる。図２の２点鎖線は沸騰防止用温度センサ60が中途半端な温度を示したまま故障している場合を示す。
【００１２】
【発明の効果】
本発明は以上の構成よりなり、請求項１に記載の１缶２回路式風呂釜装置によれば、風呂追い焚き単独運転時に、該風呂追い焚き単独運転の開始初期において沸騰防止用温度センサが検出した検出温度を記憶し、この初期の検出温度とその後において前記沸騰防止用温度センサが検出した検出温度とを比較することで、その間の温度変化が一定範囲以内にあつた場合にも、前記沸騰防止用温度センサを故障と判定するコントローラを設けたので、
風呂追い焚き単独運転時に、温水給湯路側の沸騰防止用温度センサが断線状態や短絡状態になる場合はもとより、中途半端な温度を示したまま故障している場合についても、これを確実に故障と判定することができる。よって風呂追い焚き単独運転時に沸騰防止用温度センサの故障によって温水給湯路側が沸騰状態を続けるという不都合を確実に防止することが可能となり、温水給湯路側の熱交換パイプやその周囲の部材における耐久性の悪化を確実に防止することが可能となる。
【図面の簡単な説明】
【図１】本発明に係る１缶２回路式風呂釜装置の実施例を示す簡略構成図である。
【図２】追い焚き単独運転時における温水給湯路側の温度変化を示す図である。
【符号の説明】
10  １缶２回路式の熱交換缶体
11  バーナ
20  温水給湯路
21  給湯用熱交換パイプ
30  風呂追い焚き循環路
31  風呂追い焚き用熱交換パイプ
32  往き管
33  戻り管
40  浴槽
50  循環ポンプ
60  沸騰防止用温度センサ
70  コントローラ
【図１】
0003713748.tif 000002
【図２】
0003713748.tif 000003